(57)【要約】【課題】連動棒に負荷がかかった場合であっても、当該ルーバー羽根と縦枠との間に隙間が生じることを防止し、水密性能の向上を図ったルーバー窓を提供すること。【解決手段】四方枠の枠体１１に複数のルーバー羽根１２を配置し、これらルーバー羽根１２のガラスパネル１５、１６を保持する各保持部材１７をそれぞれ連動棒２０に支持し、かつ、当該保持部材１７を、枢止軸１４を介してそれぞれ枠体１１の縦枠１１ｃに連結し、これら枢止軸１４を挟んで室内側及び室外側に縦枠１１ｃ、１１ｄの上下方向に延びて各保持部材１７と縦枠１１ｃ、１１ｄとの間をシールするシール部材４１〜４４を配置したことを特徴とする。【選択図】図３
2007162422.tif 000002
【特許請求の範囲】
【請求項１】
四方枠の枠体に複数のルーバー羽根を配置し、これらルーバー羽根のガラスパネルを保持する各保持部材をそれぞれ連動棒に支持し、かつ、当該保持部材を、枢止軸を介してそれぞれ枠体の縦枠に連結し、これら枢止軸を挟んで室内側及び室外側に縦枠の上下方向に延びて各保持部材と縦枠との間をシールするシール部材を配置したことを特徴とするルーバー窓。
【請求項２】
前記シール部材が、ゴム製のホロー材であることを特徴とする請求項１記載のルーバー窓。
【請求項３】
前記ルーバー羽根が、室内側ルーバー羽根と室外側ルーバー羽根とを有する複層ルーバー羽根であることを特徴とする請求項１または２記載のルーバー窓。
【発明の詳細な説明】
【技術分野】
【０００１】
本発明は、四方枠の枠体に複数のルーバー羽根が配置されたルーバー窓に関する。
【背景技術】
【０００２】
従来、躯体の開口部に取り付けられた四方枠の枠体に複数のルーバー羽根を配置して構成されたルーバー窓が知られている（例えば、特許文献１参照）。この種のルーバー窓では、各ルーバー羽根のガラスパネルを保持する各保持部材は、これら各保持部材がそれぞれ連動棒に連結されるとともに、当該各保持部材が枢止軸を介して、それぞれ上記縦枠に回動自在に支持されている。従って、連動棒を上下に動作させることにより、すべてのルーバー羽根が同時に同一方向に回動するため、これらルーバー羽根の開閉操作を可能な構成となっている。また、この種のルーバー窓では、縦枠の上下方向にシール部材を配置し、この縦枠とルーバー羽根の保持部材との隙間を塞いで、当該ルーバー窓の水密性を確保するのが一般的であった。
【特許文献１】特開平１１−７１９７４号公報
【発明の開示】
【発明が解決しようとする課題】
【０００３】
しかし、従来の構成では、連動棒を上下させてルーバー羽根を開閉させる際に、この連動棒に過大な負荷がかかった場合には、当該連動棒に倒れが生じることにより、ルーバー羽根と縦枠との間に隙間が生じ、この隙間から雨水が室内に浸入することがあり、水密性能が十分でないといった問題があった。
そこで、本発明の目的は、上述した従来の技術が有する課題を解消し、連動棒に負荷がかかった場合であっても、当該ルーバー羽根と縦枠との間に隙間が生じることを防止し、水密性能の向上を図ったルーバー窓を提供することにある。
【課題を解決するための手段】
【０００４】
上記目的を達成するために、本発明は、四方枠の枠体に複数のルーバー羽根を配置し、これらルーバー羽根のガラスパネルを保持する各保持部材をそれぞれ連動棒に支持し、かつ、当該保持部材を、枢止軸を介してそれぞれ枠体の縦枠に連結し、これら枢止軸を挟んで室内側及び室外側に縦枠の上下方向に延びて各保持部材と縦枠との間をシールするシール部材を配置したことを特徴とする。
【０００５】
この構成によれば、ルーバー羽根の開閉操作の際に、負荷によって連動棒に倒れが生じた場合であっても、これらシール部材がルーバー羽根の保持部材をしっかり支持することにより、ルーバー羽根の回転を最小限に保つことができる。このため、このルーバー羽根の回転に伴って、上記保持部材と縦枠との間に隙間が生じることが防止され、水密性能の向上を図ることができる。
【０００６】
この場合において、シール部材が、ゴム製のホロー材である構成としても良い。また、ルーバー羽根が、室内側ルーバー羽根と室外側ルーバー羽根とを有する複層ルーバー羽根である構成としても良い。
【発明の効果】
【０００７】
本発明では、ルーバー羽根の保持部材を、枢止軸を介してそれぞれ枠体の縦枠に連結し、これら枢止軸を挟んで室内側及び室外側に縦枠の上下方向に延びて各保持部材と縦枠との間をシールするシール部材を配置したため、これらシール部材がルーバー羽根をしっかり支持する。従って、連動棒に負荷がかかった場合であっても、当該ルーバー羽根と縦枠との間に隙間が生じることを防止し、水密性能の向上を図ることができる。
【発明を実施するための最良の形態】
【０００８】
以下、添付図面を参照して本発明の一実施形態について説明する。
図１は本実施形態にかかる可動ルーバー窓（ルーバー窓）を示す縦断面図、図２はこの可動ルーバー窓の横断面図である。
【０００９】
図１および図２において、符号１０は本実施形態にかかる可動ルーバー窓を示し、この可動ルーバー窓１０は、躯体に形成された開口部（不図示）に取り付けられた枠体１１と、この枠体１１の上下方向に並べて配置される複数のルーバー羽根１２とを備えて構成されている。枠体１１は、アルミニウム合金製の押出形材からなる上枠１１ａと下枠１１ｂと縦枠１１ｃ、１１ｄとを方形に組んでタッピングねじ等の固定具で結合することにより構成されている。縦枠１１ｃ、１１ｄは、図２に示すように、これら縦枠１１ｃ、１１ｄの室外側に、上記可動ルーバー窓１０の見付け方向に延出した延出部１３ａ、１３ｂを備える。これら延出部１３ａ、１３ｂは、縦枠１１ｃ、１１ｄの上下方向に沿って形成されており、当該延出部１３ａ、１３ｂには、上記ルーバー羽根１２が枢支軸１４（図１）を中心に回動自在に支持されている。
【００１０】
本実施形態では、ルーバー羽根１２は、図１に示すように、二重羽根構造の複層ルーバー羽根として構成されており、可動ルーバー窓１０の見込み方向に並べて配置される２枚のガラスパネル板１５、１６と、これらガラスパネル板１５、１６を両端で保持するパネルホルダ（保持部材）１７とを備える。本実施形態では、室外側に配置されたガラスパネル板１５及びパネルホルダ１７が室外側ルーバー羽根２４として機能し、室内側に配置されたガラスパネル板１６及びパネルホルダ１７が室内側ルーバー羽根２５として機能する。
パネルホルダ１７には、当該パネルホルダ１７の側面１７Ａ１（図２）の略中央部に上記枢支軸１４が形成されるとともに、当該パネルホルダ１７の側面１７Ａ１と同一面となるように延出したレバー部材１８が一体的に設けられている。このレバー部材１８は、それぞれ連結軸１９を介して連動棒２０に連結されている。
【００１１】
この連動棒２０には、図２に示すように、アーム２１を介して、上記ルーバー羽根１２の開閉操作を行なうハンドル２３が取り付けられる。このハンドル２３は、ハンドル本体２３Ａと、このハンドル本体２３Ａの回転運動を上下運動に変換する変換装置（本実施形態ではウォームギア）６０を備えている。この変換装置６０は、図３に示すように、ハンドル２３の内部に収納されるウォーム６１と、このウォーム６１の回転に応じて支軸６２を中心に回動するウォームホイール６３とを備え、このウォームホイール６３にはアーム部６３Ａが延出して設けられている。このアーム部６３Ａには、連結ピン６４を介して上記アーム２１が連結され、このアーム２１はねじ６５によって連動棒２０の取り付けられている。本実施形態では、アーム２１は、上記連結ピン６４がねじ６５よりも上方に位置するように、上記連結棒２０及びウォームホイール６３に連結されている。
【００１２】
本構成では、ハンドル本体２３Ａを回転させると、このハンドル本体２３Ａ内のウォーム６１が回転し、このウォーム６１の回転に応じてウォームホイール６３が支軸６２を中心に回動する。このため、アーム２１を介してアームホイール６３に連結された連動棒２０が上下方向に移動することにより、レバー部材１８を介してすべてのルーバー羽根１２が同時に同一方向に回動するため、これらルーバー羽根１２を開閉操作することが可能となっている。
【００１３】
また、枠体１１の下枠１１ｂには、図１に示すように、室内側ルーバー羽根２４の下方に開口部２６が形成されている。この開口部２６は、室外側空間に連通されており、ルーバー羽根１２が閉じた状態において、室外側ルーバー羽根２４と室内側ルーバー羽根２５との間の空間２７を外気圧と略同一の圧力に保持するようになっている。また、開口部２６は、図４に示すように、室内側ルーバー羽根２４の下方における下枠１１ｂに大きく開口しているため、上記室外側ルーバー羽根２４と室内側ルーバー羽根２５との間の空間２７内に雨水が浸入した場合に、この雨水を屋外に排出可能となっている。
【００１４】
このような構成において、可動ルーバー窓１０は、この可動ルーバー窓１０を通じて、雨水が屋内に浸入しないように枠体１１とルーバー羽根１２との間にシール部材が設けられている。本実施形態では、室内側ルーバー羽根２５が上下方向に並ぶラインが気密ラインに設定されており、この室内側ルーバー羽根２５は高い気密性を保って枠体１１に接するようになっている。本実施形態では、外気圧は室内圧力よりも高くなっているため、高い気密性とは、これら外気圧と室内圧力との差圧を保持できる程度の気密性をいう。すなわち、室内側ルーバー羽根２５を閉じた状態においては、上記差圧によって、当該室内側ルーバー羽根２５と枠体１１との間に気流が生じないようになっている。
【００１５】
上枠１１ａは、図１に示すように、この上枠１１ａの室外側面１１ａ１の下端部１１ａ２から下方に向けて室外側シール保持部３１が延出し、この室外側シール保持部３１の先端部３１ａには、ゴム等の弾性材からなる、ひれ状の第１シール部材３２が取り付けられている。この第１シール部材３２は、室外側ルーバー羽根２４が閉じた際に、当該室外側ルーバー羽根２４の上部に当接して水密性を保持するようになっている。また、上枠１１ａには、この上枠１１ａの上記下端部１１ａ２から見込み方向に向けて室内側シール保持部３３が延出し、この室内側シール保持部３３の先端部３３ａには、ゴム等の弾性材からなる、ひれ状の第２シール部材３４が取り付けられている。この第２シール部材３４は、室内側ルーバー羽根２５が閉じた際に、当該室外側ルーバー羽根２５の上部に当接して水密性を保持するようになっている。
【００１６】
また、下枠１１ｂは、上記開口部２６が形成された面１１ｂ１の先端部１１ｂ２から上方に向けて、室外側シール保持部３５が延出し、この室外側シール保持部３５の先端部３５ａには、ゴム等の弾性材からなる、ひれ状の第３シール部材３６が取り付けられている。この第３シール部材３６は、室外側ルーバー羽根２４が閉じた際に、当該室外側ルーバー羽根２４の下部に当接して水密性を保持するようになっている。また、下枠１１ｂには、ホロー状に形成されたホロー部１１ｂ３の一端１１ｂ４から上方に向けて室内側シール保持部３７が延出し、この室内側シール保持部３７の先端部３７ａには、ゴム等の弾性材からなる、ひれ状の第４シール部材３８が取り付けられている。この第４シール部材３８は、室内側ルーバー羽根２５が閉じた際に、当該室外側ルーバー羽根２５の下部に当接して水密性を保持するようになっている。
【００１７】
また、縦枠１１ｃには、図３に示すように、この縦枠１１ｃの延出部１３ａに、当該延出部１３ａの上下方向に沿って２列のシール部材４１、４２が設けられている。これらシール部材４１、４２は、ルーバー羽根１２のパネルホルダ１７の枢支軸１４を挟んで室内側及び室外側に設けられており、ルーバー羽根１２を閉じた場合に、室外側ルーバー羽根２４及び室内側ルーバー羽根２５の側端面１７Ａ１と当接して水密性を保持するようになっている。また、縦枠１１ｄの延出部１３ｂには、図２に示すように、当該延出部１３ａの上下方向に沿って２列のシール部材４３、４４が設けられている、これらシール部材４３、４４は、ルーバー羽根１２のパネルホルダ１７の枢支軸１４を挟んで室内側及び室外側に設けられており、ルーバー羽根１２を閉じた場合に、室外側ルーバー羽根２４及び室内側ルーバー羽根２５の側端面１７Ａ２と当接して水密性を保持するようになっている。
【００１８】
シール部材４１は、図５に示すように、軟質ゴム（硬度が４５度〜５５度）等の弾性材からなるシール部材本体４１Ａと、このシール部材本体４１Ａの下面に設けられた脚部４１Ｂとを備える。この脚部４１Ｂは、延出部１３ａの取り付け面１３ａ１に形成された取り付け溝に嵌合可能に形成されている。シール部材本体４１Ａは、中空のホロー状に形成されており、室外側ルーバー羽根２４の側端面１７Ａ１と当接して容易に変形可能になっている。この明細書において、ゴムには天然ゴム、合成ゴムだけでなくエラストマーをも含む。また、シール部材本体４１の表面には、室外側ルーバー羽根２４が開閉動作する際に、当該室外側ルーバー羽根２４の側端面１７Ａ１との摩擦抵抗を減じるべく、すべり加工が施されている。なお、シール部材４２〜４４は、上記シール部材４１と同一の構成であるため説明を省略する。
【００１９】
図６Ａはパネルホルダ１７を示す斜視図であり、図６Ｂはパネルホルダ１７の側面図である。パネルホルダ１７は、上下方向に所定の寸法だけ位置をずらし、かつ所定の間隔をおいて平行に配置された上下一対の第１及び第２のパネル保持部５１、５２を備え、これらパネル保持部５１、５２同士はその開放面を同一方向に向けて一体に成形されている。パネル保持部５１、５２は、断面が略コ字状に形成されたガラスパネル板１５、１６の嵌合空間を備え、この嵌合空間にはガラスパネル板１５、１６の表面を押圧して、当該ガラスパネル板１５、１６を保持する保持爪５３が形成されている。
【００２０】
また、第２のパネル保持部５２には、図６Ｂ及び図７に示すように、ルーバー羽根１２を閉じたときに、隣接する上下の室内側ルーバー羽根２５のそれぞれの端部同士が密着するように、その対応部分を切り欠いてガラスパネル板１６と同一面になるように、切り欠き部５２Ａが形成され、この切り欠き部５２Ａには、例えばスポンジゴム等からなる帯状のシール部材５４が接着剤等により固着されている。これによれば、このシール部材５４によって、室内側ルーバー羽根２５間を通じて雨水が室内側に浸入することが防止される。
【００２１】
次に、本実施形態の動作について説明する。
ハンドル本体２３Ａを閉方向に回転させると、図３に示すように、連動棒２０が上方に移動してルーバー羽根１２が閉じていく。そして、ルーバー羽根１２が全閉した状態で、ハンドル本体２３Ａを更に閉方向に回転させた場合、ウォームホイール６３は上方に動作しようとするため、このウォームホイール６３のアーム部６３Ａに取り付けられた連結ピン６４には上方の力Ｆ１がかかる。しかし、ルーバー羽根１２は、全閉まで閉じられているため、連結棒２０はこれ以上上方に移動しない。このため、この連結棒２０に取り付けられているねじ６５には、上記力Ｆ１の反力としての力Ｆ２が下方にかかる。
【００２２】
本実施形態では、上述のように、連結ピン６４は、ねじ６５よりも上方に位置するように配置されるとともに、当該ねじよりも縦枠１１ｃ側に配置されているため、上記力Ｆ１、Ｆ２がかかった場合には、連動棒２０には、図８に示すように、縦枠１１ｃに向かってルーバー羽根１２の見付け方向（図中Ｘ方向）の力（負荷）がかかるため、このＸ方向に連動棒２０が倒れるといった事態が生じる。
【００２３】
この場合、この連動棒２０の倒れに応じて、当該連動棒２０に連結されているルーバー羽根１２が枢支軸（図３）１４を中心に図中Ｙ方向に若干回転する。本実施形態では、上述のように、室内側ルーバー羽根２５のラインを気密ラインとして設定しているため、ルーバー羽根１２がＹ方向に回転した場合であっても、上記室内側ルーバー羽根２５とシール部材４２とがより密着するだけである。従って、連動棒２０の倒れによって、室内側ルーバー羽根２５とシール部材４２との間に隙間が生じ、水密性が低下することが防止される。
【００２４】
本実施形態によれば、四方枠の枠体１１に複数のルーバー羽根１２を配置し、これらルーバー羽根１２のガラスパネル１５、１６を保持する各保持部材１７をそれぞれ連動棒２０に支持し、かつ、当該保持部材１７を、枢止軸１４を介してそれぞれ枠体１１の縦枠１１ｃに連結し、これら枢止軸１４を挟んで室内側及び室外側に縦枠１１ｃ、１１ｄの上下方向に延びて各保持部材１７と縦枠１１ｃ、１１ｄとの間をシールするシール部材４１〜４４を配置したため、ルーバー羽根１２の開閉操作の際に、連動棒２０が負荷によって倒れが生じた場合であっても、これらシール部材４１〜４４がルーバー羽根１２のパネルホルダ１７をしっかり支持することにより、ルーバー羽根１２の回転を最小限に保つことができる。このため、このルーバー羽根１２の回転に伴って、上記パネルホルダ１７と縦枠１１ｃ、１１ｄとの間に隙間が生じることが防止され、可動ルーバー窓１０の水密性能の向上を図ることができる。
【００２５】
また、本実施形態によれば、シール部材４１〜４４は、弾力性を有する軟質ゴム製のホロー材で形成されているため、ルーバー羽根１２のパネルホルダ１７の側端面１７Ａ１と当接して容易に変形することができ、従って、このパネルホルダ１７と縦枠１１ｃ、１１ｄとの間に隙間が生じることが防止され、可動ルーバー窓１０の水密性能の向上を図ることができる。
【００２６】
また、本実施形態によれば、ルーバー羽根１２の室内側ルーバー羽根２５が高い気密性を保って枠体１１に接し、この室内側ルーバー羽根２５と室外側ルーバー羽根２４との空間２７が外気圧と略同一の圧力に保持されているため、この空間２７に室外側ルーバー羽根２４と枠体１１との隙間から雨水が浸入した場合であっても、この雨水には重力が加わることによって下方に落下する。このため、この雨水が室内側ルーバー羽根２５と枠体１１との隙間を通じて室内空間に浸入することが防止され、可動ルーバー窓１０の水密性能の向上を図ることができる。
【００２７】
また、本実施形態によれば、室内側ルーバー羽根２５と室外側ルーバー羽根２４との間に対応する枠体１１の下枠１１ｂに室外側空間と連通する開口部２６が形成されているため、室外側ルーバー羽根２４と枠体１１との隙間を通じて、上記空間２７に雨水が浸入したとしても、この雨水は上記開口部２６から室外側空間に排出されるため、当該雨水が屋内に浸入することが防止され、可動ルーバー窓１０の水密性能の向上を図ることができる。
【００２８】
上述した実施形態は、あくまでも本発明の一態様にすぎず、本発明の範囲内で任意に変形可能である。例えば、本実施形態では、室外側ルーバー羽根２４と枠体１１との間には、室内側ルーバー羽根２５と枠体１１との間に用いたシール部材３４、３８、４２、４４、５４と略同一のシール部材３２、３６、４１、４３を設けた構成としているが、これに限るものではなく、室外側ルーバー羽根２４が低い気密性を保って枠体に接する構成としても良い。具体的には、室外側ルーバー羽根２４と枠体１１との間には、例えばモヘア部材等の気密性の比較的低いシール部材を配置したり、シール部材を配置しない構成としても良い。この場合であっても、室外側ルーバー羽根２４と枠体１１との隙間を通じて、上記空間２７に浸入した雨水は、重力が加わることによって下方に落下し、上記開口部２６から外部空間に排出されるため、当該雨水が屋内に浸入することが防止され、可動ルーバー窓１０の水密性能の向上を図ることができる。
また、本実施形態では、ルーバー羽根１２は、室内側ルーバー羽根２５と室外側ルーバー羽根２４とを有する複層ルーバー羽根として構成されていたが、これに限るものではなく、いわゆるシングルルーバとしての単層ルーバー羽根を用いる構成としても良い。また、本実施形態では、シール部材は軟質ゴムで形成されているが、これに限るものではなく、シール部材が変形することにより、ルーバー羽根と枠体との隙間を生じない程度の弾力性を有するものであれば反硬質ゴムで形成されたものであっても良い。
【図面の簡単な説明】
【００２９】
【図１】本発明の実施の形態である可動ルーバー窓の縦断面図である。
【図２】可動ルーバー窓の横断面図である。
【図３】ハンドルと連動棒との連結構造の説明図である。
【図４】下枠に形成された開口部を示す枠体の上面図である。
【図５】縦枠に取り付けられるシール部材の断面図である。
【図６】Ａはパネルホルダを示す斜視図であり、Ｂはパネルホルダの側面図である。
【図７】ルーバー羽根が閉じた状態を示す図である。
【図８】本実施形態の動作を説明するための図である。
【符号の説明】
【００３０】
１０  可動ルーバー窓（ルーバー窓）
１１  枠体
１１ｂ  下枠
１１ｃ、１１ｄ  縦枠
１２  ルーバー羽根（複層ルーバー羽根）
１４  枢支軸
１５、１６  ガラスパネル
１７  パネルホルダ
２０  連動棒
２４  室外側ルーバー羽根
２５  室内側ルーバー羽根
４１〜４４  シール部材
【図１】
2007162422.tif 000003
【図２】
2007162422.tif 000004
【図３】
2007162422.tif 000005
【図４】
2007162422.tif 000006
【図５】
2007162422.tif 000007
【図６】
2007162422.tif 000008
【図７】
2007162422.tif 000009
【図８】
2007162422.tif 000010